(57)【特許請求の範囲】
【請求項１】
複数のセクタを用いて移動局装置に対して信号を送信する基地局装置であって、
前記基地局装置との距離が所定の閾値よりも小さい領域に位置する移動局装置に対して、任意のセクタからのみ信号を送信し、残りのセクタからは信号の送信を行わない方法、または一方のセクタに対して他方のセクタから送信電力を減らして信号を送信する方法を選択し、
前記基地局装置との距離が所定の閾値よりも大きい領域に位置する移動局装置に対して、複数のセクタ間で同一情報から生成した信号を送信する方法を選択し、
選択した方法を用いて信号を移動局装置に対して送信する基地局装置。
【請求項２】
前記複数のセクタ間で同一情報から生成した信号を送信する方法では、前記同一情報に対してセクタ間で時空間符号化を行って符号化した信号を送信する請求項１に記載の基地局装置。
【請求項３】
前記複数のセクタ間で同一情報から生成した信号を送信する方法では、前記同一情報に対して各セクタで送信重みを乗算した信号を送信する請求項１に記載の基地局装置。
【請求項４】
複数のセクタを用いて移動局装置に対して信号を送信する基地局装置に用いられる方法であって、
前記基地局装置との距離が所定の閾値よりも小さい領域に位置する移動局装置に対して、任意のセクタからのみ信号を送信し、残りのセクタからは信号の送信を行わない方法、または一方のセクタに対して他方のセクタから送信電力を減らして信号を送信する方法を選択し、
前記基地局装置との距離が所定の閾値よりも大きい領域に位置する移動局装置に対して、複数のセクタ間で同一情報から生成した信号を送信する方法を選択し、
選択した方法を用いて信号を移動局装置に対して送信する方法。
【請求項５】
移動局装置と、複数のセクタを用いて移動局装置と通信を行う基地局装置とを備える無線通信システムであって、
前記基地局装置は、
前記基地局装置との距離が所定の閾値よりも小さい領域に位置する移動局装置に対して、任意のセクタからのみ信号を送信し、残りのセクタからは信号の送信を行わない方法、または一方のセクタに対して他方のセクタから送信電力を減らして信号を送信する方法を選択し、
前記基地局装置との距離が所定の閾値よりも大きい領域に位置する移動局装置に対して、複数のセクタ間で同一情報から生成した信号を送信する方法を選択し、
選択した方法を用いて信号を移動局装置に対して送信し、
前記移動局装置は、
前記基地局装置から送信された信号を受信する無線通信システム。
【発明の詳細な説明】
【技術分野】
【０００１】
本発明は、複数セクタを用いて移動局装置に対してマクロダイバーシチ送信を行う基地局装置、マクロダイバーシチ方法の選択に関する情報を基地局装置に対して送信する移動局装置、マクロダイバーシチ方法の選択に関するマクロダイバーシチ選択方法、及び、マクロダイバーシチ送信を行う無線通信システムに関する。
本願は、２００５年９月２６日に、日本に出願された特願２００５−２７７６４２号に基づき優先権を主張し、その内容をここに援用する。
【背景技術】
【０００２】
近年、ＩＭＴ‐２０００（International Mobile Telecommunication 2000）の次世代の無線通信システムの研究開発が進められている。移動体無線通信システムの国際標準規格の検討を行う３ＧＰＰ（3rd Generation Partnership Project）においても、ＬＴＥ（Long Term Evolution）と題して次世代の無線通信システムの議論が進められている。その重要目的の一つとして、セル・セクタエッジの移動局装置の特性を改善する検討が行われている。【０００３】
図２０Ａおよび図２０Ｂは、セル・セクタ構成の一例を示す平面図である（非特許文献１参照）。図２０Ａに示すように、１つのセル（例えば、セルｃ１）は、６つのセル（ｃ２〜ｃ７）に隣接している。また、基地局装置（例えば、基地局装置１）が１つのセル（例えば、セルｃ１）を３セクタ（セクタ＃１１、＃１２、＃１３）に分割して通信を行う構成を示している。なお、セルｃ２はセクタ＃２１、＃２２、＃２３に分割されており、セルｃ３はセクタ＃３１、＃３２、＃３３に分割されており、セルｃ４はセクタ＃４１、＃４２、＃４３に分割されている。また、セルｃ５はセクタ＃５１、＃５２、＃５３に分割されており、セルｃ６はセクタ＃６１、＃６２、＃６３に分割されており、セルｃ７はセクタ＃７１、＃７２、＃７３に分割されている。
図２０Ｂは、図２０Ａのセルｃ１とセルｃ２の領域の拡大図である。図において、ある基地局装置１に属する２つのセクタの境界（ここでは、セクタ＃１１とセクタ＃１２の境界である、点Ｐ１と点Ｐ２を結ぶ直線）を、セクタエッジという。
また、２つの基地局装置１のセルの境界（ここでは、セルｃ１とセルｃ２の境界である、点Ｐ３と点Ｐ４を結ぶ直線）を、セルエッジという。【０００４】
基地局装置１は同一周波数を用いる１セル繰り返しシステムを利用しており、隣り合う基地局装置（セル）が互いに与える干渉の影響を低減するために、例えばセル毎に異なるスクランブリング符号が送信信号に乗算され、干渉を平滑化して、周波数の１セル繰り返しを実現している。また、基地局装置１は指向性アンテナで構成された複数のセクタアンテナを備え、１つのセル（例えば、セルｃ１）の中に複数の扇形のセクタ（例えば、セクタ＃１１、＃１２、＃１３）を構成し、同じ周波数を繰り返し使用する。このようなセル・セクタ構成により、周波数利用効率を高め、加入者容量の増加を図っている。しかしながら、セルエッジ・セクタエッジの移動局装置は少なからず他セル・他セクタからの干渉を受け、特性が劣化するという問題がある。
この問題を解決する技術の１つとして、マクロダイバーシチの検討が行われている。マクロダイバーシチとは、複数のセル・セクタを用いて移動局装置に対して送信信号をダイバーシチ送信する技術である。【０００５】
図２１は、セクタ間で異なる情報から生成した信号を用いて複数セクタから送信を行うマクロダイバーシチ方法（以下、マクロダイバーシチ方法Ｂという）の一例を示す図である。図２１は、基地局装置１から、セクタ＃１に対してはアンテナａ１を利用して信号Ｓ１を送信するとともに、セクタ＃２に対してはアンテナａ２を利用して信号Ｓ２を送信する場合を示している。
信号Ｓ１は、時間間隔ｔ１ｂ、ｔ１ｄ、ｔ１ｆに送信されるが、時間間隔ｔ１ａ、ｔ１ｃ、ｔ１ｅには送信されない。それに対して、信号Ｓ２は、時間間隔ｔ１ａ、ｔ１ｃ、ｔ１ｅに送信されるが、時間間隔ｔ１ｂ、ｔ１ｄ、ｔ１ｆには送信されない。
すなわち、マクロダイバーシチ方法Ｂとしては、例えば、ファースト・セクタ・セレクション・ウィズ・トランスミッション・ミューティング法（Fast Sector Selection with Transmission Muting法）を用いることができる。この方法は、移動局装置２において受信電力、または受信ＳＩＮＲ（Signal to Interference plus Noise Ratio：信号対干渉雑音比）の高いセクタを選択して信号を送信し、選択したセクタが送信している間、もう一方のセクタは送信をストップすることにより送信を行っているセクタが受ける干渉成分を抑える方法である（非特許文献２参照）。似たような方法としては、ファースト・セクタ・セレクション・ウィズ・トランスミッション・ミューティング法のように一方のセクタが送信をストップするのではなく、送信電力をもう一方のセクタよりも小さい値にして、もう一方のセクタに与える干渉成分を緩和する方法がある。【０００６】
図２２に、セクタ間で同一情報から生成した信号を用いて複数セクタから送信を行うマクロダイバーシチ方法（以下、マクロダイバーシチ方法Ａという）の一例を示す図である。図２２は、基地局装置１から移動局装置２に対して、セクタ＃１からアンテナａ１を利用して信号Ｓ３を送信するとともに、セクタ＃２からアンテナａ２を利用して信号Ｓ４を送信する場合を示している。
時間間隔ｔ３ａ〜ｔ３ｆにそれぞれ送信される信号Ｓ３と、時間間隔ｔ４ａ〜ｔ４ｆにそれぞれ送信される信号Ｓ４は、同じ信号となるように基地局装置１から送信される。
マクロダイバーシチ方法Ａとしては、例えば、ソフト・コンバイニング法（Soft combining法）を用いることができる。この方法は、両セクタが同一の移動局装置２に対して、同一情報から生成した同一信号を同一タイミングで送信することにより、移動局装置２の信号成分を増大させつつ、干渉成分を抑える方法である（非特許文献３参照）。【０００７】
なお、上述したマルチダイバーシチ方法Ａ及びＢは、基地局装置１によりセクタ間の同期が取れている場合を想定しているため、例えば、特許文献１に示される、セル間非同期ＣＤＭＡ（Code Division Multiple Access：符号分割多元接続）通信システムのセル間ソフトハンドオフにおいて、各セルからの信号に同期を合わせて合成を行うＲＡＫＥ受信機のような複雑な処理を移動局装置２では必要としない方法である。
セクタ間で同一情報から生成した信号を用いて複数のセクタから送信を行うマクロダイバーシチ方法の他の例としては、セクタ間で時空間符号化を行って符号化した信号を複数のセクタから送信し、更に符号化利得を得るＳＴＴＤ（Space Time Transmit Diversity：時空間送信ダイバーシチ）法が知られている（特許文献２参照）。例えば、基地局装置が変調信号を２つのＳＴＴＤ符号に時空間符号化し、１つのＳＴＴＤ符号を一方のセクタから送信し、もう１つのＳＴＴＤ符号をもう一方のセクタから同時に送信を行なう。移動局装置はセクタ毎の伝播路の推定を行い、セクタ毎の伝播路の推定結果を利用してＳＴＴＤの復号化を行なう。また、同一セクタの複数の送信アンテナを用いた送信ダイバーシチとして移動局装置２の伝播路情報に基づいて送信重みを計算し、計算した重みを各アンテナに乗算して送信するクローズド・ループ（Closed loop）送信ダイバーシチ（非特許文献４）を異なるセクタ間の送信アンテナに適用した方法（以下、クローズド・ループ・マクロダイバーシチ法という）などが知られている。例えば、移動局装置の受信電力Ｐを最大にする送信重みを以下の式（１）により求める。【０００８】
Ｐ＝ｗＨＨＨＨｗ  ・・・  （１）【０００９】
ここで、Ｈは各セクタからの信号の伝播路応答、ｗは各セクタの送信重みを示し、２セクタを用いる場合、Ｈ＝［ｈ１，ｈ２］、ｗ＝［ｗ１，ｗ２］Ｔとなり、ｈ１はセクタ＃１からの信号の伝播路応答、ｈ２はセクタ＃２からの信号の伝播路応答、ｗ１はセクタ＃１の送信重み、ｗ２はセクタ＃２の送信重みを示す。移動局装置は、求めた送信重みを基地局装置にフィードバックし、基地局装置はフィードバックされた送信重みを各セクタに用いて同時に信号を送信する。【００１０】
これらのマクロダイバーシチ方法Ａ、Ｂは、移動局装置２の受信ＳＩＮＲを向上させることができる。マクロダイバーシチ方法Ｂはセクタ間干渉成分を抑えることにより、マクロダイバーシチ方法Ａはセクタ間干渉成分を抑えつつ信号成分を増大させることにより実現する。なお、複数のセクタから同時に信号を送信して信号成分を増大させている分、マクロダイバーシチ方法Ａの方がマクロダイバーシチ方法Ｂと比較して一般的に受信ＳＩＮＲを向上させることができる。
【特許文献１】特開平８−１７２３９０号公報
【特許文献２】特開２００３−２３３８１号公報
【非特許文献１】3GPP TSG RAN WG1 Ad Hoc on LTE Sophia Antipolis, France, 20-21 June, 2005 R1-050587, "OFDM Radio Parameter Set in Evolved UTRA Downlink"
【非特許文献２】3GPP TSG RAN WG1 Ad Hoc on LTE Sophia Antipolis, France, 20-21 June, 2005 R1-050624, "On Macro Diversity for E-UTRA"
【非特許文献３】3GPP TSG RAN WG1 Ad Hoc on LTE Sophia Antipolis, France, 20-21 June, 2005 R1-050615, "Investigations on Inter-Sector Diversity in Evolved UTRA Downlink"
【非特許文献４】3GPP TS 25.214, "Physical layer procedures(FDD)"
【発明の開示】
【発明が解決しようとする課題】
【００１１】
しかしながら、従来の技術は、２つのセクタ間のみを考慮した場合についての技術であり、無線通信システムとして他セクタおよび他セルに与える干渉成分は考慮されていない。ここでは、マクロダイバーシチ方法Ａとして、ソフト・コンバイニング法を使用し、マクロダイバーシチ方法Ｂとしてファースト・セクタ・セレクション・ウィズ・トランスミッション・ミューティング法を使用した場合について説明する。ファースト・セクタ・セレクション・ウィズ・トランスミッション・ミューティング法は、一方のセクタは送信をストップするので、更なる信号成分の増大を図ることはできないが、マクロダイバーシチを行わない場合と比較して、送信を行っているセクタとはもう一方の隣接するセクタに与える干渉成分、及び隣接するセルに与える干渉成分を抑えることができる。
一方、ソフト・コンバイニング法は、両セクタから同一情報を同一タイミングで送信するので、更なる信号成分の増大を図ることができるが、マクロダイバーシチを行わない場合と比較して、隣接するセクタに与える干渉成分、及び隣接するセルに与える干渉成分を減少させることはできない。
また、移動局装置２においては、受信ＳＩＮＲの劣化が主に干渉成分の増加に起因し、ファースト・セクタ・セレクション・ウィズ・トランスミッション・ミューティング法を用いて干渉成分を抑えることにより要求伝送レートを実現することができたり、適用可能な変調方式の中で最も変調多値数が大きい変調方式を適用することができたりする場合がある。その一方、移動局装置２においては、受信ＳＩＮＲの劣化が信号成分の劣化と干渉成分の増加の両方に起因し、ソフト・コンバイニング法を用いて干渉成分を抑えつつ信号成分の増大を図らなければ要求伝送レートを実現できない場合がある。これらの状況について、図２３を用いて詳細に説明する。【００１２】
図２３は、セクタ内における移動局装置の受信ＳＩＮＲの変動を示した図である。なお、ここで示す受信ＳＩＮＲは時間的に平均的な値を示したものであり、フェージング等により変化する瞬時的な値を示したものではない。２つのセクタエッジの中間の領域（ここでは、セクタ＃１とセクタ＃２とのセクタエッジと、セクタ＃１とセクタ＃３とのセクタエッジとの中間の領域）であって、基地局装置１のセルエッジと基地局装置１との中間の地点よりも基地局装置１に近い地点（エリアＡ）に位置する移動局装置２ａは、基地局装置１からの信号成分は大きく、他セクタ＃２及び他セルからの干渉成分は小さく、受信ＳＩＮＲは大きい。
２つのセクタエッジの中間の領域であって、基地局装置１のセルエッジと基地局装置１との中間の地点（エリアＢ）に位置する移動局装置２ｂは、エリアＡに位置する移動局装置２ａと比較して、基地局装置１からの信号成分が減少し、受信ＳＩＮＲが劣化する。
２つのセクタエッジの中間の領域であって、基地局装置１のセルエッジと基地局装置１との中間の地点よりも基地局装置１から遠い地点（エリアＣ）に位置する移動局装置２ｃは、エリアＡの移動局装置２ａと比較して、基地局装置１からの信号成分が大幅に減少し、且つ他セルからの干渉成分が増大し、受信ＳＩＮＲが大幅に劣化する。【００１３】
２つのセクタ間の領域（ここでは、セクタ＃１とセクタ＃２とのセクタエッジの領域）であって、基地局装置１のセルエッジと基地局装置１との中間の地点よりも基地局装置１に近い地点（エリアＤ）に位置する移動局装置２ｄは、エリアＡに位置する移動局装置２ａと比較して、他セクタ（ここでは、セクタ＃２）からの干渉成分が大幅に増大し、受信ＳＩＮＲが大幅に劣化する。
２つのセクタ間の領域であって、基地局装置１のセルエッジと基地局装置１との中間の地点よりも基地局装置１から遠い地点（エリアＥ）に位置する移動局装置２ｅは、エリアＡに位置する移動局装置２ａと比較して、基地局装置１からの信号成分が大幅に減少し、かつ他セル及び他セクタ（ここでは、セクタ＃２）からの干渉成分が増大し、受信ＳＩＮＲが大幅に劣化する。つまり、エリアＤに位置する移動局装置２ｄは、他セクタからの干渉成分を低減することにより、大幅に受信ＳＩＮＲの改善が図れる。しかし、エリアＥに位置する移動局装置２ｅは他セクタからの干渉成分を低減するだけでは、受信ＳＩＮＲが多少増大するだけなので、信号成分を増大させる必要がある。【００１４】
本発明は、このような事情に鑑みてなされたものであり、無線通信時におけるセルスループット、システムスループットを向上させることができる無線通信システム、基地局装置、移動局装置、マクロダイバーシチ選択方法を提供することを目的とする。
【課題を解決するための手段】
【００１５】
本発明は、上記課題を解決するためになされたものである。
（１）  本発明の一態様による基地局装置は、複数のセクタを用いて移動局装置に対して信号を送信する基地局装置であって、前記基地局装置との距離が所定の閾値よりも小さい領域に位置する移動局装置に対して、任意のセクタからのみ信号を送信し、残りのセクタからは信号の送信を行わない方法、または一方のセクタに対して他方のセクタから送信電力を減らして信号を送信する方法を選択し、前記基地局装置との距離が所定の閾値よりも大きい領域に位置する移動局装置に対して、複数のセクタ間で同一情報から生成した信号を送信する方法を選択し、選択した方法を用いて信号を移動局装置に対して送信する。
【００１６】
（２）  本発明の一態様による基地局装置において、前記複数のセクタ間で同一情報から生成した信号を送信する方法では、前記同一情報に対してセクタ間で時空間符号化を行って符号化した信号を送信しても良い。
【００１７】
（３）  本発明の一態様による基地局装置において、前記複数のセクタ間で同一情報から生成した信号を送信する方法では、前記同一情報に対して各セクタで送信重みを乗算した信号を送信しても良い。
【００１８】
（４）  本発明の他の態様による方法は、複数のセクタを用いて移動局装置に対して信号を送信する基地局装置に用いられる方法であって、前記基地局装置との距離が所定の閾値よりも小さい領域に位置する移動局装置に対して、任意のセクタからのみ信号を送信し、残りのセクタからは信号の送信を行わない方法、または一方のセクタに対して他方のセクタから送信電力を減らして信号を送信する方法を選択し、前記基地局装置との距離が所定の閾値よりも大きい領域に位置する移動局装置に対して、複数のセクタ間で同一情報から生成した信号を送信する方法を選択し、選択した方法を用いて信号を移動局装置に対して送信する。
【００１９】
（５）  本発明の更に他の態様による無線通信システムは、移動局装置と、複数のセクタを用いて移動局装置と通信を行う基地局装置とを備える無線通信システムであって、前記基地局装置は、前記基地局装置との距離が所定の閾値よりも小さい領域に位置する移動局装置に対して、任意のセクタからのみ信号を送信し、残りのセクタからは信号の送信を行わない方法、または一方のセクタに対して他方のセクタから送信電力を減らして信号を送信する方法を選択し、前記基地局装置との距離が所定の閾値よりも大きい領域に位置する移動局装置に対して、複数のセクタ間で同一情報から生成した信号を送信する方法を選択し、選択した方法を用いて信号を移動局装置に対して送信し、前記移動局装置は、前記基地局装置から送信された信号を受信する。
【発明の効果】
【００５１】
本発明では、移動局装置の受信状況に基づく所定の判断基準に応じて、複数のマクロダイバーシチ方法の中から移動局装置に対して用いるマクロダイバーシチ方法を選択するようにした。
これにより、移動局装置の状況に応じて、マクロダイバーシチ方法としてファースト・セクタ・セレクション・ウィズ・トランスミッション・ミューティング法を使用して、他セクタから送信される信号による干渉を防いだり、マクロダイバーシチ方法としてソフト・コンバイニング法を使用して、他セクタから送信される信号による干渉を防ぐとともに、信号の受信強度を増加させたりすることを適応的に選択することができ、複数のセクタを有するセルのセルスループット、および複数のセルを有するシステムのシステムスループットを向上させることができる。
【図面の簡単な説明】
【００５２】
【図１】図１は、本発明の第１の実施形態によるマクロダイバーシチ選択方法を示す概念図である。
【図２】図２は、本発明の第１の実施形態による基地局装置の構成を示すブロック図である。
【図３】図３は、本発明の第１の実施形態による移動局装置の構成を示すブロック図である。
【図４】図４は、本発明の第１の実施形態によるマクロダイバーシチ選択方法の処理の流れを示すフローチャートである。
【図５】図５は、本発明の第２の実施形態による基地局装置の構成を示すブロック図である。
【図６】図６は、本発明の第２の実施形態による移動局装置の構成を示すブロック図である。
【図７】図７は、セクタ内における移動局装置の受信電力の変動を示した図である。
【図８】図８は、セクタ内における移動局装置の受信ＳＩＮＲの変動を示した図である。
【図９】図９は、本発明の第２の実施形態によるマクロダイバーシチ選択方法の処理の流れを示すフローチャートである。
【図１０】図１０は、本発明の第３の実施形態によるマクロダイバーシチ選択方法の処理の流れを示すフローチャートである。
【図１１】図１１は、本発明の第４の実施形態によるマクロダイバーシチ選択方法の処理の流れを示すフローチャートである。
【図１２】図１２は、本発明の第５の実施形態によるマクロダイバーシチ選択方法の処理の流れを示すフローチャートである。
【図１３】図１３は、本発明の第６の実施形態によるマクロダイバーシチ選択方法の処理の流れを示すフローチャートである。
【図１４】図１４は、本発明の第７の実施形態によるマクロダイバーシチ選択方法を示す概念図である。
【図１５】図１５は、本発明の第７の実施形態による基地局装置の構成を示すブロック図である。
【図１６】図１６は、本発明の第７の実施形態による移動局装置の構成を示すブロック図である。
【図１７】図１７は、本発明の第７の実施形態によるマクロダイバーシチ選択方法の処理の流れを示すフローチャートである。
【図１８】図１８は、図９に示した第２の実施形態の処理に、伝搬路の位相情報を用いた場合のマクロダイバーシチ選択方法の処理の流れを示すフローチャートである。
【図１９】図１９は、本発明の第７の実施形態の変形例によるマクロダイバーシチ選択方法の一例を示す概念図である。
【図２０Ａ】図２０Ａは、セル・セクタ構成の一例を示す平面図である。
【図２０Ｂ】図２０Ｂは、図２０Ａに示したセル・セクタ構成の一部分を拡大して示す平面図である。
【図２１】図２１は、セクタ間で異なる情報から生成した信号を用いて複数セクタから送信を行うマクロダイバーシチ方法の一例を示す図である。
【図２２】図２２は、セクタ間で同一情報から生成した信号を用いて複数セクタから送信を行うマクロダイバーシチ方法の他の一例を示す図である。
【図２３】図２３は、セクタ内における移動局装置の受信ＳＩＮＲの変動を示した図である。
【符号の説明】
【００５３】
１  基地局装置  
１０  受信部  
２０  送信部  
２１  符号化部  
２２  変調部  
２３  パイロット信号生成部  
２４  フレーム生成部  
２５  ＩＦＦＴ部  
２６  セクタ切替部  
２７ａ〜２７ｃ  マクロダイバーシチ選択部  
２８  周波数変換部  
２９  送信増幅部  
３０  送信アンテナ  
４０  送信部  
４１  位置検出部  
４２  伝播路位相抽出部  
５０  受信部  
５１  受信アンテナ  
５２  受信増幅部  
５３  周波数変換部  
５４  シンボルタイミング再生部  
５５  ＦＦＴ部  
５６  伝搬路変動推定部  
５７  伝搬路変動補償部  
５８  復調部  
５９  復号化部  
６０  受信電力検出部  
６１  受信ＳＩＮＲ検出部  
７０  受信電力差検出部  
７１  受信ＳＩＮＲ差検出部
【発明を実施するための最良の形態】
【００５４】
（第１の実施形態）
図１は、本発明の第１の実施形態によるマクロダイバーシチ選択方法を示す概念図である。本実施形態では、アンテナａ１から信号を送信する領域であるセクタ＃１と、アンテナａ２から信号を送信する領域であるセクタ＃２との境界の領域であるセクタエッジにおいて、移動局装置２と基地局装置１との距離が所定の閾値よりも小さい領域Ｒ１（セル中央部付近のセクタエッジ）に位置する場合には、ファースト・セクタ・セレクション・ウィズ・トランスミッション・ミューティング法を用いる。また、本実施形態では、移動局装置２と基地局装置１との距離が所定の閾値よりも大きい領域であって、セルエッジ付近の領域Ｒ２（セルエッジ付近のセクタエッジ）に位置する場合には、ソフト・コンバイニング法を用いる。ここで、セクタエッジとは、２つのセクタの境界の領域（図１における領域Ｒ１及びＲ２）をいう。また、セルエッジとは、２つのセルの境界の領域（図１における領域Ｒ２の下側半分の領域）をいう。【００５５】
図２は、本発明の第１の実施形態による基地局装置の構成を示すブロック図である。この基地局装置は、受信部１０と送信部２０を有する。
受信部１０は、移動局装置２（図１）から位置情報、受信電力、受信ＳＩＮＲなどの情報を通知される。送信部２０は、符号化部２１、変調部２２、パイロット信号生成部２３、フレーム生成部２４、ＩＦＦＴ（Inverse Fast Fourier Transform：逆高速フーリエ変換）部２５、セクタ切替部２６、マクロダイバーシチ選択部２７ａ、周波数変換部２８、送信増幅部２９、送信アンテナ３０を有する。これらの装置の組は、当該基地局装置の３つのセクタ用に３組設けられている。
符号化部２１は、入力されたデータ信号に対して符号化を行う。変調部２２は、符号化データ信号に対して変調を行う。パイロット信号生成部２３は、伝搬路推定等のための既知系列であるパイロット信号を生成する。フレーム生成部２４は、パイロット信号と変調データ信号を用いて、送信フレームを生成する。【００５６】
ＩＦＦＴ部２５は、逆高速フーリエ変換の処理を行い、送信フレームを周波数領域信号から時間領域信号に変換する。セクタ切替部２６は、マクロダイバーシチ選択部２７ａからのセクタ選択制御情報に基づいて、各ＩＦＦＴ部２５からの時間領域信号を各周波数変換部２８へ出力する。
マクロダイバーシチ選択部２７ａは、移動局装置２（図１）より通知された位置情報と受信電力とに基づいてセクタ間のマクロダイバーシチを使用するか否か、及び、使用するマクロダイバーシチ方法の選択を行い、セクタ選択制御情報を出力する。なお、マクロダイバーシチ選択部２７ａは、受信電力ではなく、受信ＳＩＮＲを用いたり、受信電力と受信ＳＩＮＲの両方を用いたりして、マクロダイバーシチを使用するか否か、及び、使用するマクロダイバーシチ方法の選択を行うこともできる。
周波数変換部２８は、時間領域信号の周波数変換を行う。送信増幅部２９は、周波数変換した信号の増幅を行い、送信アンテナ３０を介して信号を送信する。【００５７】
図３は、本発明の第１の実施形態による移動局装置の構成を示すブロック図である。この移動局装置は、送信部４０と受信部５０を有する。
受信部５０は、受信アンテナ５１、受信増幅部５２、周波数変換部５３、シンボルタイミング再生部５４、ＦＦＴ（Fast Fourier Transform：高速フーリエ変換）部５５、伝搬路変動推定部５６、伝搬路変動補償部５７、復調部５８、復号化部５９、受信電力検出部６０を有する。
受信増幅部５２は、受信アンテナ５１を介して受信した信号の増幅を行う。周波数変換部５３は、増幅した信号の周波数変換を行う。シンボルタイミング再生部５４は、ＦＦＴ（Fast Fourier Transform：高速フーリエ変換）ウインドウをかけるタイミングを、周波数変換部５３の出力から再生し、ＦＦＴ部５５にタイミング制御情報を出力する。
ＦＦＴ部５５は、タイミング制御情報に基づいて、高速フーリエ変換の処理を行い、時間領域信号を周波数領域信号に変換する。伝搬路変動推定部５６は、周波数領域信号に変換されたパイロット信号から伝搬路変動を推定する。伝搬路変動補償部５７は、伝搬路変動推定部５６によって推定された伝搬路変動に基づいて、周波数領域信号に変換されたデータ信号に対して伝搬路変動の補償を行う。【００５８】
復調部５８は、伝搬路変動の補償を行ったデータ信号の復調を行う。復号化部５９は、復調したデータ信号の復号を行い、受信部５０の上位層（図示省略）にデータを出力する。受信電力検出部６０は、周波数領域に変換されたパイロット信号から受信電力を検出する。また、受信電力検出部６０は、各セクタからのパイロット信号を用いて受信電力を検出する。
位置検出部４１は、例えばＧＰＳ（Global Positioning System：全地球測位システム）を用いて移動局装置２（図１）の位置検出を行う。なお、基地局装置１（図１）から送信される信号は、基地局装置１からの距離に応じて減衰するため、位置検出部４１によって、基地局装置１から受信する信号の受信強度の減衰量に基づいて、移動局装置２の位置検出を行うようにしてもよい。移動局装置２は、送信部４０により検出した位置情報と各セクタの受信電力を基地局装置１に送信してフィードバックする。なお、基地局装置１がマクロダイバーシチ選択に受信ＳＩＮＲを用いる場合は、移動局装置２に受信ＳＩＮＲ検出部６１を設けて、受信ＳＩＮＲを検出して、基地局装置１にフィードバックする。基地局装置１がマクロダイバーシチ選択に受信ＳＩＮＲを用いる場合とは、基地局装置１がマクロダイバーシチ選択に受信ＳＩＮＲだけを用いる場合や、受信電力と受信ＳＩＮＲの両方を用いる場合である。【００５９】
図４は、本発明の第１の実施形態によるマクロダイバーシチ選択方法の処理の流れを示すフローチャートである。始めに、移動局装置２においてパイロット信号の受信電力を測定する（ステップＵ１）。そして、全てのセクタを測定し終ったかどうかを判断する（ステップＵ２）。なお、全てのセクタとは、自セル内のセクタと他セル内のセクタを含む。
測定し終わっていない場合は、再度ステップＵ１に戻り、受信電力を測定する。測定し終った場合は、マクロダイバーシチ候補のセクタとして自セル内のセクタの中で現在通信中の接続セクタ以外で受信電力が最も大きいセクタを選択する（ステップＵ３）。次に、移動局装置２よりフィードバックされた受信電力を基に、基地局装置１は接続セクタと選択したセクタとの間の受信電力の差が所定の閾値Ｊより大きいか否かを判断する（ステップＵ４）。ステップＵ４により、移動局装置２がセクタエッジ付近に位置するか否かを判断することができる。
ステップＵ４において所定の閾値Ｊよりも大きいと判断した場合は、セクタエッジから遠いと判断し、マクロダイバーシチを使用しないことを選択する（ステップＵ６）。ステップＵ６の処理は、例えば、移動局装置２が、後述する図７のエリアＡ、Ｂ、Ｃのいずれかの領域に位置する場合に行われる。【００６０】
ステップＵ４において、所定の閾値Ｊよりも大きくないと判断した場合は、セクタエッジから近いと判断し、移動局装置２より通知された位置情報に基づいて移動局装置２の位置について基地局装置１からの距離が所定の距離Ｋより大きいか否かを判断する（ステップＵ５）。ステップＵ４及びＵ５により、移動局装置２がセルエッジ付近のセクタエッジに位置するか、基地局装置１に近いセクタエッジに位置するかを判断することができる。
ステップＵ５において、所定の距離Ｋよりも大きいと判断した場合は基地局装置１から遠いと判断する。そして、セクタ間で同一信号を送信する方法であるマクロダイバーシチ方法Ａ（例えば、ソフト・コンバイニング法）を選択する（ステップＵ７）。ステップＵ７の処理は、例えば、移動局装置２が、後述する図７のエリアＥの領域に位置する場合に行われる。
ステップＵ５において、所定の距離Ｋよりも大きくないと判断した場合は、移動局装置２が基地局装置１から近いと判断する。そして、任意のセクタからのみ信号を送信し、残りのセクタからは送信を行わない方法であるマクロダイバーシチ方法Ｂ（例えば、ファースト・セクタ・セレクション・ウィズ・トランスミッション・ミューティング法）を選択する（ステップＵ８）。ステップＵ８の処理は、例えば、移動局装置２が、後述する図７のエリアＤの領域に位置する場合に行われる。
次に、基地局装置１は選択した方法を用いて送信を行う（ステップＵ９）。【００６１】
上記のように、移動局装置２の位置情報に応じてマクロダイバーシチ方法を選択するので、移動局装置２の受信特性と他セル・セクタへの干渉を考慮した、適切なマクロダイバーシチ送信を行うことができる。【００６２】
（第２の実施形態）
図５は、本発明の第２の実施形態による基地局装置の構成を示すブロック図である。第１の実施形態による基地局装置の構成（図２）と同じ構成を採る部分については、同一の符号を付してそれらの説明を省略する。第１の実施形態による基地局装置１とは、移動局装置２より位置情報がフィードバックされないことと、マクロダイバーシチ選択部の処理内容とが異なる。マクロダイバーシチ選択部２７ｂは、受信電力、又は受信ＳＩＮＲに基づいて、セクタ間のマクロダイバーシチを使用するか否か、及び、使用するマクロダイバーシチ方法の選択を行い、セクタ選択制御情報を出力する。【００６３】
図６は、本発明の第２の実施形態による移動局装置の構成を示すブロック図である。第１の実施形態による基地局装置の構成（図３）と同じ構成を採る部分については、同一の符号を付してそれらの説明を省略する。第１の実施形態による移動局装置２とは、位置検出部４１が設けられていない点と、受信電力差検出部７０、受信ＳＩＮＲ差検出部７１が設けられている点で異なる。
なお、図６の移動局装置２の構成において、受信電力検出部６０、受信ＳＩＮＲ検出部６１、受信電力差検出部７０、受信ＳＩＮＲ差検出部７１は、必ずしも全て設ける必要はない。つまり、以下に説明する第２〜第７の実施形態では、どのマクロダイバーシチ選択方法を使用するかに応じて、受信電力検出部６０、受信ＳＩＮＲ検出部６１、受信電力差検出部７０、受信ＳＩＮＲ差検出部７１のうち必要なものだけを移動局装置２に設けるようにして、受信電力又は受信ＳＩＮＲのいずれかの情報のみを基地局装置１に通知するようにしてもよい。
また、移動局装置２が受信電力差や受信ＳＩＮＲ差そのものを基地局装置１に通知する構成としたり、移動局装置２が各セクタの受信電力を基地局装置１に通知して受信電力差を計算するという構成にすることもできる。
また、移動局装置２が、各セクタおよび隣接セルの受信電力及び受信ＳＩＮＲを全て検出して、基地局装置１に通知するようにすれば、基地局装置１は全てのマクロダイバーシチの選択方法を用いることができる。
一方、受信電力、受信ＳＩＮＲのうち使用する情報のみを移動局装置２から基地局装置１に通知するようにすれば、通知する情報量を減らすことができ、効率的にマクロダイバーシチ方法の選択を行うことができる。
第２の実施形態は、受信電力、又は受信ＳＩＮＲを用いて、移動局装置２の受信状況に応じて変動する受信特性からマクロダイバーシチ方法の選択を行う。移動局装置２の位置も受信状況の一部に含まれる。先ず、その背景となるポイントについて、移動局装置２の位置に応じて移動局装置２が、複数のセクタから受信する信号がそれぞれどのような受信特性となるかを示す。この受信特性は、受信電力と受信ＳＩＮＲの変動の違いを示している。なお、ここで示す受信特性は時間的に平均的な値を示したものであり、フェージング等により変化する瞬時的な値を示したものではない。【００６４】
図７は、セクタ内における移動局装置の受信電力の変動を示した図である。なお、ここでは例として、基地局１から信号を送信するセルが、３セクタ（セクタ＃１、＃２、＃３）構成である場合について説明する。また、説明の便宜上、セクタ＃１とセクタ＃２からの信号の受信電力について説明する。
２つのセクタエッジの中間の領域（ここでは、セクタ＃１とセクタ＃２とのセクタエッジと、セクタ＃１とセクタ＃３とのセクタエッジとの中間の領域）であって、基地局装置１のセルエッジと基地局装置１との中間の地点よりも基地局装置１に近い地点であるエリアＡに位置する移動局装置２ａは、セクタ＃１からの受信電力が非常に大きく、セクタ＃２からの受信電力は非常に小さい。
２つのセクタエッジの中間の領域であって、基地局装置１のセルエッジと基地局装置１との中間の地点であるエリアＢに位置する移動局装置２ｂは、セクタ＃１からの受信電力がある程度大きく、セクタ＃２からの受信電力は非常に小さい。エリアＡの移動局装置２ａと比較して、エリアＢの移動局装置２ｂは、セクタ＃１からの受信電力がある程度減少する。
２つのセクタエッジの中間の領域であって、基地局装置１のセルエッジと基地局装置１との中間の地点よりも基地局装置１から遠い地点であるエリアＣに位置する移動局装置２ｃは、セクタ＃１からの受信電力が小さく、セクタ＃２からの受信電力は非常に小さい。
エリアＡの移動局装置２ａと比較して、エリアＣの移動局装置２ｃは、セクタ＃１からの受信電力が大幅に減少する。【００６５】
２つのセクタ間の領域（ここでは、セクタ＃１とセクタ＃２とのセクタエッジの領域）であって、基地局装置１のセルエッジと基地局装置１との中間の地点よりも基地局装置１に近い地点であるエリアＤに位置する移動局装置２ｄは、セクタ＃１からの受信電力が非常に大きく、セクタ＃２からの受信電力も非常に大きい。エリアＡに位置する移動局装置２ａと比較して、エリアＤに位置する移動局装置２ｄは、セクタ＃２からの受信電力が大幅に増大する。なお、エリアＤは、セル中央部付近のセクタエッジに相当する。
２つのセクタ間の領域であって、基地局装置１のセルエッジと基地局装置１との中間の地点よりも基地局装置１から遠い地点であるエリアＥに位置する移動局装置２ｅは、セクタ＃１からの受信電力が小さく、セクタ＃２からの受信電力も小さい。エリアＡに位置する移動局装置２ａと比較して、エリアＥの移動局装置２ｅは、セクタ＃１からの受信電力が大幅に減少し、セクタ＃２からの受信電力がある程度増大する。なお、エリアＥは、セルエッジ付近のセクタエッジに相当する。
基地局装置1を中心としたセクタ＃２の円周方向の中央であって、径方向で基地局装置１に近い地点（エリアＦ）に位置する移動局装置２ｆは、セクタ＃１からの受信電力が非常に小さく、セクタ＃２からの受信電力が非常に大きい。エリアＡの移動局装置２ａと比較して、エリアＦの移動局装置２ｆは、セクタ＃１からの受信電力が大幅に減少し、セクタ＃２からの受信電力が大幅に増大する。つまり、セクタアンテナａ１〜ａ３の指向性にも依存するが、受信電力は基地局装置１からの距離に依存する。【００６６】
図８は、セクタ内における移動局装置の受信ＳＩＮＲの変動を示した図である。なお、ここでは図７での説明と同様に、基地局１から信号を送信するセルが、３セクタ（セクタ＃１、＃２、＃３）構成である場合について説明する。また、セクタ＃１とセクタ＃２からの信号の受信ＳＩＮＲについて説明する。受信ＳＩＮＲは、信号成分と、干渉成分と雑音成分の和との比であるので、自セクタの信号成分と他セクタの信号成分の大きさによって変動する。つまり、上述した受信電力の大きさによって変動するので、図８の各セクタ＃１〜＃３からの受信電力の大きさに依存する。エリアＡに位置する移動局装置２ａは、セクタ＃１の受信ＳＩＮＲが非常に大きく、セクタ＃２の受信ＳＩＮＲが非常に小さい。
エリアＢに位置する移動局装置２ｂは、セクタ＃１の受信ＳＩＮＲがある程度大きく、セクタ＃２の受信ＳＩＮＲが非常に小さい。エリアＡの移動局装置と比較して、エリアＢの移動局装置２ｂは、セクタ＃１の受信ＳＩＮＲがある程度減少する。エリアＣに位置する移動局装置２ｃは、セクタ＃１の受信ＳＩＮＲが小さく、セクタ＃２の受信ＳＩＮＲが非常に小さい。エリアＡの移動局装置２ａと比較して、エリアＣに位置する移動局装置２ｃは、セクタ＃１の受信ＳＩＮＲが大幅に減少する。また、他セルからの干渉成分も大きくなり、受信ＳＩＮＲが劣化する。【００６７】
エリアＤに位置する移動局装置２ｄは、セクタ＃１の受信ＳＩＮＲが非常に小さく、セクタ＃２の受信ＳＩＮＲも非常に小さい。エリアＡに位置する移動局装置２ａと比較して、セクタ＃１の受信ＳＩＮＲが大幅に減少する。セクタ＃１からの信号成分が非常に大きいにも係らず、このように劣化するのはセクタ＃２からの干渉成分が非常に大きいためである。そのため、ファースト・セクタ・セレクション・ウィズ・トランスミッション・ミューティング法を用いてセクタ＃２の送信を停止して、セクタ＃１に与える干渉成分を抑えることにより、受信ＳＩＮＲはグラフｇ１からグラフｇ２のように変化し、セクタ＃１の受信ＳＩＮＲは大幅に改善する。なお、ここで示しているのはデータ信号に対する受信ＳＩＮＲ、またはセクタ間で直交化を行っていないパイロット信号に対する受信ＳＩＮＲであり、セクタ毎に直交符号を乗算したパイロット信号に対する受信ＳＩＮＲは、両セクタ間の受信ＳＩＮＲの差はそのままで、検出される受信ＳＩＮＲの値が大きくなる。【００６８】
エリアＥの移動局装置２ｇは、セクタ＃１の受信ＳＩＮＲが非常に小さく、セクタ＃２の受信ＳＩＮＲも非常に小さい。エリアＡの移動局装置２ａと比較して、セクタ＃１の受信ＳＩＮＲが大幅に減少する。これは、セクタ＃１からの信号成分が小さくなり、セクタ＃２からの干渉成分が大きくなるからである。そのため、ファースト・セクタ・セレクション・ウィズ・トランスミッション・ミューティング法を用いても、もともと信号成分が小さいので満足のいく受信特性を実現できない場合がある。エリアＦの移動局装置２ｆは、セクタ＃１の受信ＳＩＮＲが非常に小さく、セクタ＃２の受信ＳＩＮＲは非常に大きい。つまり、受信ＳＩＮＲは基地局装置１からの距離とセクタエッジからの距離に依存する。【００６９】
セクタ間（ここでは、セクタ＃２とセクタ＃３の間）の領域であるセクタエッジであって、基地局装置1を中心として基地局装置１に近い地点（エリアＧ）に位置する移動局装置２ｇは、セクタ＃２の受信ＳＩＮＲは非常に小さく、セクタ＃３の受信ＳＩＮＲも非常に小さい。ここで、セクタ＃１とセクタ＃２に対してファースト・セクタ・セレクション・ウィズ・トランスミッション・ミューティング法を用いてセクタ＃２の送信をストップすると、セクタ＃１だけでなく、セクタ＃３に対する干渉成分も抑えることができ、受信ＳＩＮＲはグラフｇ３からグラフｇ４のように変化し、セクタ＃３の受信ＳＩＮＲが改善される。
第２の実施形態は、これら各セクタの受信電力と受信ＳＩＮＲの特性、及びそれらの特性の差を用いて適切なマクロダイバーシチ方法を選択する。【００７０】
図９は、本発明の第２の実施形態によるマクロダイバーシチ選択方法の処理の流れを示すフローチャートである。始めに、移動局装置２においてパイロット信号の受信電力を測定する（ステップＶ１）。そして、全てのセクタを測定し終ったかどうかを判断する（ステップＶ２）。なお、全てのセクタとは、自セル内のセクタと他セル内のセクタを含む。
測定し終わっていない場合は、再度ステップＶ１に戻り受信電力を測定する。測定し終った場合は、マクロダイバーシチ候補のセクタとして自セル内のセクタの中で現在通信中の接続セクタ以外で受信電力が最も大きいセクタを選択する（ステップＶ３）。【００７１】
次に、移動局装置２よりフィードバックされた受信電力を基に自セクタの受信電力が所定の閾値Ｌより大きいかを判断する（ステップＶ４）。ステップＶ４により、移動局装置２が基地局装置１の近くに位置するか否かを判断することができる。ステップＶ４において閾値Ｌよりも大きいと判断した場合は、移動局装置２が基地局装置１から近いと判断し、ステップＶ５に移行する。ステップＶ４において大きくないと判断した場合は、移動局装置２が基地局装置１から遠いと判断し、ステップＶ６に移行する。ステップＶ５に移行した場合、両セクタ間の受信電力の差が所定の閾値Ｍ１より大きいかを判断する。ステップＶ５により、移動局装置２がセクタエッジの近くに位置するか否かを判断することができる。
ステップＶ５において所定の閾値Ｍ１より大きいと判断した場合は、移動局装置２がセクタエッジから遠いと判断し、マクロダイバーシチを使用しないことを選択する（ステップＶ７）。ステップＶ７の処理は、例えば、移動局装置２が、図７のエリアＡの領域に位置する場合に行われる。
ステップＶ５において所定の閾値Ｍ１より大きくないと判断した場合は、移動局装置２がセクタエッジから近いと判断し、マクロダイバーシチ方法Ｂ（例えば、ファースト・セクタ・セレクション・ウィズ・トランスミッション・ミューティング法）を選択する（ステップＶ８）。ステップＶ８の処理は、例えば、移動局装置２が、図７のエリアＤの領域に位置する場合に行われる。【００７２】
ステップＶ６に移行した場合、両セクタ間の受信電力差が所定の閾値Ｍ２より大きいかを判断する。ステップＶ６により、移動局装置２がセクタエッジの近くに位置するか否かを判断することができる。ステップＶ６において所定の閾値Ｍ２よりも大きいと判断した場合は、移動局装置２がセクタエッジから遠いと判断し、マクロダイバーシチを使用しないことを選択する（ステップＶ９）。ステップＶ９の処理は、例えば、移動局装置２が、図７のエリアＣの領域に位置する場合に行われる。
ステップＶ６において所定の閾値Ｍ２より大きくないと判断した場合は、移動局装置２がセクタエッジから近いと判断し、マクロダイバーシチ方法Ａ（例えば、ソフト・コンバイニング法）を選択する（ステップＶ１０）。ステップＶ１０の処理は、例えば、移動局装置２が、図７のエリアＥの領域に位置する場合に行われる。
なお、例えば、移動局装置２が、図７の２つのセクタエッジの中間の領域であって、基地局装置１のセルエッジと基地局装置１との中間の地点であるエリアＢの領域に位置する場合は、ステップＶ７またはステップＶ９の処理が行なわれるが、ステップＶ４の閾値Ｌの値によりどちらかの処理に導かれるかが決まる。また、例えば、移動局装置２が、図７の基地局装置１を中心としたセクタ＃２の円周方向の中央であって、径方向で基地局装置１に近い地点であるエリアＦに位置する場合は、ステップＶ２とステップＶ３の処理の間で通常のハードハンドオフ処理が行なわれ、接続セクタがセクタ＃１からセクタ＃２に変更される。
次に、基地局装置１は選択した方法を用いて送信を行う（ステップＶ１１）。
上記の選択処理により、ＧＰＳなどの位置検出部を余分に設けることなく、移動局装置２の位置によって変動する受信特性そのものから、適切なマクロダイバーシチ方法を選択することができる。【００７３】
（第３の実施形態）
次に、本発明の第３の実施形態によるマクロダイバーシチ選択方法について説明する。
なお、基地局装置１及び移動局装置２の構成については、第２の実施形態による基地局装置１（図５）及び移動局装置２（図６）と同じであるので、それらの説明を省略する。【００７４】
図１０は、本発明の第３の実施形態によるマクロダイバーシチ選択方法の処理の流れを示すフローチャートである。第２の実施形態によるマクロダイバーシチ選択方法の処理（図９）と異なるところは、ステップＶ５に該当するステップＷ５において自セクタの受信ＳＩＮＲが所定の閾値Ｎ１より大きいかを判断してセクタエッジから近いか遠いかを判断する点と、ステップＶ６に該当するステップＷ６において自セクタの受信ＳＩＮＲが所定の閾値Ｎ２より大きいかを判断してセクタエッジから近いか遠いかを判断する点である。
ステップＷ１〜Ｗ４、Ｗ７〜Ｗ１１の処理については、図９のステップＶ１〜Ｖ４、Ｖ７〜Ｖ１１とそれぞれ同一であるので、それらの処理についての説明を省略する。
上記の図１０の選択処理により、よりデータの誤り率に関連する受信特性を考慮して、適切なマクロダイバーシチ方法を選択することができる。【００７５】
（第４の実施形態）
次に、本発明の第４の実施形態によるマクロダイバーシチ選択方法について説明する。
なお、基地局装置１及び移動局装置２の構成については、第２の実施形態による基地局装置１（図５）及び移動局装置２（図６）と同じであるので、それらの説明を省略する。【００７６】
図１１は、本発明の第４の実施形態によるマクロダイバーシチ選択方法の処理の流れを示すフローチャートである。第２の実施形態によるマクロダイバーシチ選択方法の処理（図９）と異なるところは、ステップＶ５に該当するステップＸ５において、両セクタ間の受信ＳＩＮＲ差が所定の閾値Ｏ１より大きいか否かを判断して、移動局装置２がセクタエッジから近いか遠いかを判断する点と、ステップＶ６に該当するステップＸ６において、両セクタ間の受信ＳＩＮＲの差が所定の閾値Ｏ２より大きいか否かを判断してセクタエッジから近いか遠いかを判断する点である。
ステップＸ１〜Ｘ４、Ｘ７〜Ｘ１１の処理については、図９のステップＶ１〜Ｖ４、Ｖ７〜Ｖ１１とそれぞれ同一であるので、それらの処理についての説明を省略する。
上記の選択処理により、よりマクロダイバーシチを適用することが妥当か否かを判断することができ、適切なマクロダイバーシチ方法を選択することができる。【００７７】
（第５の実施形態）
次に、本発明の第５の実施形態によるマクロダイバーシチ選択方法について説明する。
なお、基地局装置１及び移動局装置２の構成については、第２の実施形態による基地局装置１（図５）及び移動局装置２（図６）と同じであるので、それらの説明を省略する。【００７８】
図１２は、本発明の第５の実施形態によるマクロダイバーシチ選択方法の処理の流れを示すフローチャートである。始めに、移動局装置２においてパイロット信号の受信電力を測定する（ステップＹ１）。そして、全てのセクタを測定し終ったかどうかを判断する（ステップＹ２）。なお、全てのセクタとは、自セル内のセクタと他セル内のセクタを含む。
測定し終わっていない場合は、再度ステップＹ１に戻り受信電力を測定する。測定し終った場合は、マクロダイバーシチ候補のセクタとして自セル内のセクタの中で現在通信中の接続セクタ以外で受信電力が最も大きいセクタを選択する（ステップＹ３）。次に、移動局装置２よりフィードバックされた受信電力を基に、自セクタの受信電力が所定の閾値Ｌより大きいか否かを判断する（ステップＹ４）。ステップＹ４により、移動局装置２が基地局装置１の近くに位置するか否かを判断することができる。なお、閾値Ｌは、図９のステップＶ４における閾値Ｌと同じ値としてもよいし、異なる値としてもよい。【００７９】
ステップＹ４において所定の閾値Ｌより大きいと判断した場合は、移動局装置２が基地局装置１から近いと判断し、ステップＹ６に移行する。ステップＹ４において所定の閾値Ｌより大きくないと判断した場合は、移動局装置２が基地局装置１からある程度遠いと判断し、ステップＹ５に移行する。ステップＹ５において、自セクタと移動局装置２よりフィードバックされた隣接セルとの受信電力の差が所定の閾値Ｐより大きいか否かを判断する。ここで、移動局装置２は他セルのセクタの受信電力の中で最も大きい値のセクタを隣接セルの受信電力としてフィードバックしている。ステップＹ５により、移動局装置２がセルエッジの近くに位置するか否かを判断することができる。
ステップＹ５において所定の閾値Ｐより大きいと判断した場合は、移動局装置２がセルエッジ付近に位置していないと判断し、ステップＹ６へ移行する。ステップＹ５において所定の閾値Ｐより大きくないと判断した場合は、移動局装置２がセルエッジ付近に位置すると判断し、ステップＹ７に移行する。ステップＹ６に移行した場合、両セクタ間の受信電力の差が所定の閾値Ｍ１より大きいか否かを判断する。ステップＹ６により、移動局装置２がセクタエッジの近くに位置するか否かを判断することができる。
なお、閾値Ｍ１は、図９のステップＶ５における閾値Ｍ１と同じ値としてもよいし、異なる値としてもよい。【００８０】
ステップＹ６において所定の閾値Ｍ１より大きいと判断した場合は、移動局装置２がセクタエッジから遠いと判断し、マクロダイバーシチを使用しないことを選択する（ステップＹ８）。ステップＹ８の処理は、例えば、移動局装置２が、図７のエリアＡの領域に位置する場合に行われる。
ステップＹ６において所定の閾値Ｍ１より大きくないと判断した場合は、移動局装置２がセクタエッジから近いと判断し、マクロダイバーシチ方法Ｂ（例えば、ファースト・セクタ・セレクション・ウィズ・トランスミッション・ミューティング法）を選択する（ステップＹ９）。ステップＹ９の処理は、例えば、移動局装置２が、図７のエリアＤの領域に位置する場合に行われる。
ステップＹ７に移行した場合、両セクタ間の受信電力の差が所定の閾値Ｍ２より大きいか否かを判断する。ステップＹ７により、移動局装置２がセクタエッジの近くに位置するか否かを判断することができる。なお、閾値Ｍ２は、図９のステップＶ６における閾値Ｍ２と同じ値としてもよいし、異なる値としてもよい。
ステップＹ７において所定の閾値Ｍ２より大きいと判断した場合は、移動局装置２がセクタエッジから遠いと判断し、マクロダイバーシチを使用しないことを選択する（ステップＹ１０）。ステップＹ１０の処理は、例えば、移動局装置２が、図７のエリアＣの領域に位置する場合に行われる。
ステップＹ７において所定の閾値Ｍ２より大きくないと判断した場合は、移動局装置２がセクタエッジから近いと判断し、マクロダイバーシチ方法Ａ（例えば、ソフト・コンバイニング法）を選択する（ステップＹ１１）。ステップＹ１１の処理は、例えば、移動局装置２が、図７のエリアＥの領域に位置する場合に行われる。
なお、例えば、移動局装置２が、図７の２つのセクタエッジの中間の領域であって、基地局装置１のセルエッジと基地局装置１との中間の地点であるエリアＢの領域に位置する場合は、ステップＹ８またはステップＹ１０の処理が行なわれるが、ステップＹ４の閾値Ｌの値とステップＹ５の閾値Ｐの値によりどちらかの処理に導かれるかが決まる。また、例えば、移動局装置２が、図７の基地局装置1を中心としたセクタ＃２の円周方向の中央であって、径方向で基地局装置１に近い地点であるエリアＦに位置する場合は、ステップＹ２とステップＹ３の処理の間で通常のハードハンドオフ処理が行なわれ、接続セクタがセクタ＃１からセクタ＃２に変更される。
次に、基地局装置１は選択した方法を用いて送信を行う（ステップＹ１２）。
上記の図１２の処理により、セルエッジからの位置を推定して、それに伴う他セルからの干渉成分も考慮して、適切なマクロダイバーシチ方法を選択することができる。【００８１】
また、図１０の処理を、図１２の処理に適用することもできる。つまり、ステップＷ５に該当するステップＹ６において、自セクタの受信ＳＩＮＲが所定の閾値Ｎ１より大きいか否かを判断して、移動局装置２がセクタエッジから近いか遠いかを判断し、ステップＷ６に該当するステップＹ７において、自セクタの受信ＳＩＮＲが所定の閾値Ｎ２より大きいか否かを判断して、移動局装置２がセクタエッジから近いか遠いかを判断するようにしてもよい。なお、閾値Ｎ１、Ｎ２は、図１０のステップＷ５、Ｗ６における閾値Ｎ１、Ｎ２と同じ値としてもよいし、異なる値としてもよい。【００８２】
また、図１１の処理を、図１２の処理に適用することもできる。つまり、ステップＸ５に該当するステップＹ６において、両セクタ間の受信ＳＩＮＲの差が所定の閾値Ｏ１より大きいかを判断して、移動局装置２がセクタエッジから近いか遠いかを判断し、ステップＸ６に該当するステップＹ７において、両セクタ間の受信ＳＩＮＲの差が所定の閾値Ｏ２より大きいか否かを判断して、移動局装置２がセクタエッジから近いか遠いかを判断するようにしてもよい。なお、閾値Ｏ１、Ｏ２は、図１１のステップＸ５、Ｘ６における閾値Ｏ１、Ｏ２と同じ値としてもよいし、異なる値としてもよい。【００８３】
（第６の実施形態）
次に、本発明の第６の実施形態によるマクロダイバーシチ選択方法について説明する。
なお、基地局装置１及び移動局装置２の構成については、第２の実施形態による基地局装置１（図５）及び移動局装置２（図６）と同じであるので、それらの説明を省略する。【００８４】
図１３は、本発明の第６の実施形態によるマクロダイバーシチ選択方法の処理の流れを示すフローチャートである。始めに、移動局装置２において受信ＳＩＮＲを測定する（ステップＺ１）。そして、全てのセクタを測定し終ったかどうかを判断する（ステップＺ２）。なお、全てのセクタとは、自セル内のセクタと他セル内のセクタを含む。
測定し終わっていない場合は、再度ステップＺ１に戻り、受信ＳＩＮＲを測定する。測定し終った場合は、マクロダイバーシチ候補のセクタとして自セル内のセクタの中で現在通信中の接続セクタ以外で受信ＳＩＮＲが最も大きいセクタを選択する（ステップＺ３）。次に、移動局装置２よりフィードバックされた隣接セルの隣接セクタの受信ＳＩＮＲが所定の閾値Ｑより小さいか否かを判断する（ステップＺ４）。ここで、移動局装置２は他セルのセクタの受信ＳＩＮＲの中で最も大きい値のセクタを隣接セルの受信電力としてフィードバックしている。ステップＺ４により、移動局装置２がセルエッジの近くに位置するか否かを判断することができる。
ステップＺ４において所定の閾値Ｑより小さいと判断した場合は、移動局装置２がセルエッジから遠いと判断し、ステップＺ５に移行する。【００８５】
ステップＺ４において所定の閾値Ｑより小さくないと判断した場合は、移動局装置２がセルエッジから近いと判断し、ステップＺ６に移行する。ステップＺ５に移行した場合、自セクタの受信ＳＩＮＲが所定の閾値Ｎ１より大きいかを判断する。ステップＺ５により、移動局装置２がセクタエッジの近くに位置するか否かを判断することができる。なお、閾値Ｎ１は、図１０のステップＷ５における閾値Ｎ１と同じ値としてもよいし、異なる値としてもよい。
ステップＺ５において所定の閾値Ｎ１より大きいと判断した場合は、移動局装置２がセクタエッジから遠いと判断し、マクロダイバーシチを使用しないことを選択する（ステップＺ７）。ステップＺ７の処理は、例えば、移動局装置２が、図７のエリアＡの領域に位置する場合に行われる。
ステップＺ５において所定の閾値Ｎ１より大きくないと判断した場合は、移動局装置２がセクタエッジから近いと判断し、マクロダイバーシチ方法Ｂ（例えば、ファースト・セクタ・セレクション・ウィズ・トランスミッション・ミューティング法）を選択する（ステップＺ８）。ステップＺ８の処理は、例えば、移動局装置２が、図７のエリアＤの領域に位置する場合に行われる。
ステップＺ６に移行した場合、自セクタの受信ＳＩＮＲが所定の閾値Ｎ２より大きいか否かを判断する。ステップＺ６により、移動局装置２がセクタエッジの近くに位置するか否かを判断することができる。なお、閾値Ｎ２は、図１０のステップＷ６における閾値Ｎ１と同じ値としてもよいし、異なる値としてもよい。【００８６】
ステップＺ６において所定の閾値Ｎ２より大きいと判断した場合は、移動局装置２がセクタエッジから遠いと判断し、マクロダイバーシチを使用しないことを選択する（ステップＺ９）。ステップＺ９の処理は、例えば、移動局装置２が、図７のエリアＣの領域に位置する場合に行われる。
ステップＺ６において所定の閾値Ｎ２より大きくないと判断した場合は、移動局装置２がセクタエッジから近いと判断し、マクロダイバーシチ方法Ａ（例えば、ソフト・コンバイニング法）を選択する（ステップＺ１０）。ステップＺ１０の処理は、例えば、移動局装置２が、図７のエリアＥの領域に位置する場合に行われる。
なお、例えば、移動局装置２が、図７の２つのセクタエッジの中間の領域であって、基地局装置１のセルエッジと基地局装置１との中間の地点であるエリアＢの領域に位置する場合は、ステップＺ７またはステップＺ９の処理が行なわれるが、ステップＺ４の閾値Ｑの値によりどちらかの処理に導かれるかが決まる。また、例えば、移動局装置２が、図７の基地局装置1を中心としたセクタ＃２の円周方向の中央であって、径方向で基地局装置１に近い地点であるエリアＦに位置する場合は、ステップＺ２とステップＺ３の処理の間で通常のハードハンドオフ処理が行なわれ、接続セクタがセクタ＃１からセクタ＃２に変更される。
次に、基地局装置１は選択した方法を用いて移動局装置２に対して送信を行う（ステップＺ１１）。
上記処理により、セルエッジからの位置を推定して、それに伴う他セルからの干渉成分も考慮しつつ、フィードバック情報を受信ＳＩＮＲに一本化してフィードバック情報量を減らして、適切なマクロダイバーシチ方法を選択することができる。【００８７】
また、図１１の処理を、図１３の処理に適用することもできる。つまり、ステップＸ５に該当するステップＺ５において、両セクタ間の受信ＳＩＮＲの差が所定の閾値Ｏ１より大きいか否かを判断して、移動局装置２がセクタエッジから近いか遠いかを判断し、ステップＸ６に該当するステップＺ６において、両セクタ間の受信ＳＩＮＲの差が所定の閾値Ｏ２より大きいか否かを判断して、移動局装置２がセクタエッジから近いか遠いかを判断するようにしてもよい。なお、閾値Ｏ１、Ｏ２は、図１１のステップＸ５、Ｘ６における閾値Ｏ１、Ｏ２と同じ値としてもよいし、異なる値としてもよい。【００８８】
また、図１３のステップＺ４において、隣接セルの受信ＳＩＮＲが所定の閾値Ｑよりも小さいか否かを判定するのではなく、自セクタと隣接セルとの受信ＳＩＮＲの差が所定の閾値よりも大きいか否かを判定するようにしてもよい。【００８９】
なお、第１〜第６の実施形態において、マクロダイバーシチ方法Ａとしては、ソフト・コンバイニング法だけでなく、既に説明をした時空間送信ダイバーシチ法や、クローズド・ループ・マクロダイバーシチ法を用いることもできる。また、マクロダイバーシチ方法Ｂとしては、ファースト・セクタ・セレクション・ウィズ・トランスミッション・ミューティング法だけでなく、送信電力をもう一方のセクタよりも小さい値にして、もう一方のセクタに与える干渉成分を緩和する方法を用いることもできる。
なお、第１〜第６の実施形態において、移動局装置が受信電力を測定するのは全てのセクタではなく、基地局装置が任意に決めたセクタとした構成とすることもできる。【００９０】
（第７の実施形態）
図１４は、本発明の第７の実施形態によるマクロダイバーシチ選択方法を示す概念図である。基地局装置１に近いエリアＲ３（セル中央部付近のセクタエッジ）ではマクロダイバーシチ方法Ｂ（例えば、ファースト・セクタ・セレクション・ウィズ・トランスミッション・ミューティング法）を用いることは他の実施形態と同じであるが、セルエッジに近いエリアＲ４（セルエッジ付近のセクタエッジ）では、伝播路の位相特性によってソフト・コンバイニング法とマクロダイバーシチ方法Ｂ（例えば、ファースト・セクタ・セレクション・ウィズ・トランスミッション・ミューティング法）のどちらかを選択して用いる点が他の実施形態と異なる。【００９１】
図１５は、本発明の第７の実施形態による基地局装置の構成を示すブロック図である。
第１の実施形態による基地局装置１（図２）と同じ構成を採る部分については、同一の符号を付してそれらの説明を省略する。
本実施形態では、マクロダイバーシチ選択部２７ｃに入力される信号と、マクロダイバーシチ選択部２７ｃの処理内容が、第１の実施形態による基地局装置１と異なる。
基地局装置１には、移動局装置２より伝播路の位相情報がフィードバックされ、マクロダイバーシチ選択部２７ｃに入力される。これらの情報に基づいてセクタ間のマクロダイバーシチを使用するか否か、及び、使用するマクロダイバーシチ方法の選択を行い、セクタ選択制御情報を出力する。具体的な選択方法は図１７を参照して後述する。【００９２】
図１６は、本発明の第７の実施形態による移動局装置の構成を示すブロック図である。
第１の実施形態による移動局装置２（図３）と同じ構成を採る部分については、同一の符号を付してそれらの説明を省略する。
本実施形態では、伝播路の位相を抽出する伝播路位相抽出部４２を備える点と、抽出された伝播路位相を基地局装置１にフィードバックする点が、第１の実施形態による移動局装置２と異なる。【００９３】
図１７は、本発明の第７の実施形態によるマクロダイバーシチ選択方法の処理の流れを示すフローチャートである。図１７のステップＵＵ１〜ＵＵ４の処理については、図４のステップＵ１〜Ｕ４の処理とそれぞれ同じであるので、それらの処理については説明を省略する。
図１７では、ステップＵＵ５において移動局装置２と基地局装置１の距離が所定の閾値Ｋより大きいと判断した場合、更にステップＵＵ７において自セクタと他セクタ間の伝播路の位相差（Δθ=｜θ1−θ２｜）が所定の閾値Δθth（例えば、Δθth＝９０度）より小さいか否かを判断する。
ステップＵＵ７において、所定の閾値Δθthより小さいと判断した場合は、ソフト・コンバイニング法を選択する（ステップＵＵ８）。ステップＵＵ８の処理は、例えば、移動局装置２が、図７のエリアＥの領域に位置する場合に行われる。
ステップＵＵ７において、所定の閾値Δθthより小さくないと判断した場合は、マクロダイバーシチ方法Ｂ（例えば、ファースト・セクタ・セレクション・ウィズ・トランスミッション・ミューティング法）を選択する（ステップＵＵ９）。これは、伝播路の位相差が大きい場合には、ソフト・コンバイニング法を選択すると、各セクタからの信号が打ち消し合うため、マクロダイバーシチ効果を得ることができないためである。ステップＵＵ９の処理は、例えば、移動局装置２が、図７のエリアＤの領域に位置する場合に行われる。
次に、基地局装置１は選択した方法を用いて送信を行う（ステップＵＵ１０）。【００９４】
上記のように、移動局装置２の位置情報及び伝播路の位相情報に応じてマクロダイバーシチ方法を選択することにより、他セル・セクタへの干渉を考慮し移動局装置２の受信特性をより高めることができ、適切なマクロダイバーシチ送信を行うことができる。
本実施形態では、第１の実施形態と同様にマクロダイバーシチの選択に関して移動局装置２の位置情報を用いる場合について説明したが、第２〜第６の実施形態と同様にマクロダイバーシチの選択に関して受信電力、又は受信ＳＩＮＲを用いる場合にも適用できる。
つまり、図５において、基地局装置１は、更に移動局装置２より伝播路の位相情報がフィードバックされ、マクロダイバーシチ選択部２７ｂはその位相情報も用いてセクタ間のマクロダイバーシチを使用するか否かと、使用するマクロダイバーシチ方法の選択を行い、セクタ選択制御情報を出力するようにする。
また、図６において、移動局装置２は、更に伝播路位相抽出部を備え、抽出した各セクタの伝播路の位相情報を基地局装置１にフィードバックする。【００９５】
一例として、第２の実施形態の処理（図９）に、伝播路の位相情報を用いた場合の処理について説明する。図１８は、第２の実施形態の処理（図９）に、伝搬路の位相情報を用いた場合のマクロダイバーシチ選択方法の処理の流れを示すフローチャートである。図１８のステップＶＶ１〜ＶＶ６、ＶＶ８〜ＶＶ１０、ＶＶ１３の処理については、図９のステップＶ１〜Ｖ６、ＶＶ７〜ＶＶ９、ＶＶ１１の処理とそれぞれ同じであるので、それらの処理については説明を省略する。
ステップＶＶ６において自セクタと他セクタの両セクタ間の受信電力の差が所定の閾値Ｍ２より大きくないと判断した場合、更にステップＶＶ７において自セクタと他セクタ間の伝播路の位相差（Δθ=｜θ1−θ２｜）が所定の閾値Δθth（例えば、Δθth＝９０度）より小さいか否かを判断する。ステップＶＶ７において、所定の閾値Δθthより小さいと判断した場合は、ソフト・コンバイニング法を選択する（ステップＶＶ１１）。ステップＶＶ７において、所定の閾値Δθthより小さくないと判断した場合は、マクロダイバーシチ方法Ｂ（例えば、ファースト・セクタ・セレクション・ウィズ・トランスミッション・ミューティング法）を選択する（ステップＶＶ１２）。ステップＶＶ１１、ＶＶ１２の処理は、例えば、移動局装置２が、図７のエリアＥの領域に位置する場合に行われる。
他の第３〜第６実施形態でも、ステップＶＶ７、ステップＶＶ１１、ＶＶ１２のような処理を行ってもよい。【００９６】
なお、図１７において、ステップＵＵ５の処理を行わず、ステップＵＵ４において、両セクタ間の受信電力の差が所定の閾値Ｊより大きくないと判断した場合に、ステップＵＵ７に移行し、伝播路の位相情報からマクロダイバーシチ方法Ｂ（例えば、ファースト・セクタ・セレクション・ウィズ・トランスミッション・ミューティング法）とソフト・コンバイニング法のいずれかを選択するようにすることもできる。この処理は、図１９のような状態で使用されることを想定している。【００９７】
図１９は、本発明の第７の実施形態の変形例によるマクロダイバーシチ選択方法の一例を示す概念図である。本実施形態では、移動局装置２と基地局装置１との間の距離は考慮せず、移動局装置２がセクタエッジのエリアＲ５（セル中央部付近のセクタエッジ、及び、セルエッジ付近のセクタエッジ）に位置すると判断した場合に、マクロダイバーシチの対象となる移動局装置２の受信特性が最も良くなるマクロダイバーシチ方法を選択する。
なお、マクロダイバーシチ方法Ｂとして、ファースト・セクタ・セレクション・ウィズ・トランスミッション・ミューティング法ではなく、送信電力をもう一方のセクタよりも小さい値にして、もう一方のセクタに与える干渉成分を緩和する方法を用いることもできる。【００９８】
また、第１〜第７の実施形態において、受信電力や受信ＳＩＮＲをセクタ間で比較して、自セクタよりも他セクタの値が予め設定した閾値以上になった場合に、接続セクタを切り替えて、セクタ間のハードハンドオフをマクロダイバーシチ選択時に行うことを想定している。
また、第１〜第７の実施形態において、受信電力の検出に関して、パイロット信号から検出する場合に限定するものではない。例えば、伝搬路推定等のパイロット信号とは異なる信号を基地局装置１が送信して、移動局装置２がそれを用いて受信電力を検出する構成とすることもできる。  また、第１〜第７の実施形態において、候補セクタのしぼり込みは、受信電力に基づいて判断する場合に限定されるものではなく、受信ＳＩＮＲに基づいて判断するようにしてもよい。また、本実施形態では、２つのセクタ＃１、＃２を用いてマクロダイバーシチを行う場合について説明したが、３つ以上のセクタを用いてマクロダイバーシチを行うようにしてもよい。【００９９】
上述したように、本発明の第１〜第７の実施形態によるマクロダイバーシチ選択方法では、移動局装置２がセクタエッジ付近に位置する場合において、基地局装置１と移動局装置２との距離が所定の閾値より大きいか否かによって、また、移動局装置２の各セクタからの受信電力、または受信ＳＩＮＲが所定の閾値より大きいか小さいか否かによって、また、各セクタ間の伝搬路の位相差が所定の閾値より小さいか否かによって、マクロダイバーシチ方法Ａ（例えば、ソフト・コンバイニング法）を使用するか、マクロダイバーシチ方法Ｂ（例えば、ファースト・セクタ・セレクション・ウィズ・トランスミッション・ミューティング法）を使用するかを選択するようにした。
これにより、２つのセクタからの受信電力が大きく、セクタ間干渉の影響による受信特性の劣化が支配的なセル中央部付近のセクタエッジでは、マクロダイバーシチ方法Ａを使用して、一方のセクタから移動局装置２に対して信号を送信している場合には、他方のセクタから移動局装置２に対して信号を送信するのを停止する、または他方のセクタから移動局装置２に対して送信電力を減らして信号を送信することにより、２つのセクタから１台の移動局装置２に送信される信号が干渉することを防止する、または低減することにより要求品質を確保しつつ、マクロダイバーシチ対象外の隣接セクタ、および隣接セルに与える干渉を低減することができる。
また、２つのセクタからの受信電力が小さく、セクタ間干渉の影響と信号電力の減少とセル間干渉の影響により受信特性が劣化するセルエッジ付近のセクタエッジでは、マクロダイバーシチ方法Ｂを使用して、２つのセクタから移動局装置２に対して同一の情報から生成した信号を送信することにより、２つのセクタから１台の移動局装置２に送信される信号が干渉することを防止することができるとともに、２つのセクタから送信される信号を合成することにより、受信電力を増加させることにより要求品質を確保することができる。また、セルエッジ付近のセクタエッジにおいても、マクロダイバーシチ方法Ｂとしてソフト・コンバイニング法の効果が余り得られない状況下では、マクロダイバーシチ方法Ａを使用することにより、移動局装置２の受信特性を向上させることができる。
これにより、複数のセクタから移動局装置２に対して信号を送信する基地局１のセルスループットや、複数のセルからなるシステムスループットを向上させることができる。【０１００】
なお、上述した第１〜第７の実施形態では、移動局装置２から通知される受信電力や受信ＳＩＮＲの情報に基づいて、基地局装置１のマクロダイバーシチ選択部２７ａ〜２７ｃにより使用するダイバーシチ方法Ａ、Ｂのどちらを使用するかを選択するようにしたが、このような構成に限定されるものではない。つまり、受信電力や受信ＳＩＮＲの情報に基づいて、移動局装置２でダイバーシチ方法Ａ、Ｂのどちらを使用するかを選択し、その選択結果を基地局装置１に対して通知するようにしてもよい。【０１０１】
なお、以上説明した実施形態において、図２、図５、図１５の受信部１０、送信部２０、符号化部２１、変調部２２、パイロット信号生成部２３、フレーム生成部２４、ＩＦＦＴ部２５、セクタ切替部２６、マクロダイバーシチ選択部２７ａ〜２７ｃ、周波数変換部２８、送信増幅部２９の機能又はこれらの一部の機能を実現するためのプログラム、若しくは、図３、図６、図１６の送信部４０、位置検出部４１、伝播路位相抽出部４２、受信部５０、受信アンテナ５１、受信増幅部５２、周波数変換部５３、シンボルタイミング再生部５４、ＦＦＴ部５５、伝搬路変動推定部５６、伝搬路変動補償部５７、復調部５８、復号化部５９、受信電力検出部６０、受信電力差検出部７０、受信ＳＩＮＲ差検出部７１の機能又はこれらの一部の機能を実現するためのプログラムをコンピュータ読み取り可能な記録媒体に記録して、この記録媒体に記録されたプログラムをコンピュータシステムに読み込ませ、実行することにより基地局装置１又は移動局装置２の制御を行ってもよい。
なお、ここでいう「コンピュータシステム」とは、ＯＳや周辺機器等のハードウェアを含むものとする。【０１０２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【０１０３】
以上、この発明の実施形態について図面を参照して詳述してきたが、具体的な構成はこの実施形態に限られるものではなく、この発明の要旨を逸脱しない範囲の設計及び一般のマルチキャリア方式への拡張等も含まれる。
【産業上の利用可能性】
【０１０４】
本発明は、複数セクタを用いて移動局装置に対してマクロダイバーシチ送信を行う基地局装置、マクロダイバーシチ方法の選択に関する情報を基地局装置に対して送信する移動局装置、マクロダイバーシチ方法の選択に関するマクロダイバーシチ選択方法、及び、マクロダイバーシチ送信を行う無線通信システムに適用することができ、複数のセクタを有するセルのセルスループット、および複数のセルを有するシステムのシステムスループットを向上させることができる。
【図１】
0004675965.tif 000002
【図２】
0004675965.tif 000003
【図３】
0004675965.tif 000004
【図４】
0004675965.tif 000005
【図５】
0004675965.tif 000006
【図６】
0004675965.tif 000007
【図７】
0004675965.tif 000008
【図８】
0004675965.tif 000009
【図９】
0004675965.tif 000010
【図１０】
0004675965.tif 000011
【図１１】
0004675965.tif 000012
【図１２】
0004675965.tif 000013
【図１３】
0004675965.tif 000014
【図１４】
0004675965.tif 000015
【図１５】
0004675965.tif 000016
【図１６】
0004675965.tif 000017
【図１７】
0004675965.tif 000018
【図１８】
0004675965.tif 000019
【図１９】
0004675965.tif 000020
【図２０Ａ】
0004675965.tif 000021
【図２０Ｂ】
0004675965.tif 000022
【図２１】
0004675965.tif 000023
【図２２】
0004675965.tif 000024
【図２３】
0004675965.tif 000025